(57)【特許請求の範囲】
【請求項１】
シャッター本体の回転軸に設けられたプーリとモータの出力軸に設けられたプーリとに架け渡されたタイミングベルトにより前記モータの駆動力を前記シャッター本体に伝達し、
前記シャッター本体は、前記回転軸から反対方向に延びる一対の直線部を備えた略半円形をし、一方向へのみ回転して１８０度毎に焼付透過窓の開放と閉止とを繰り返すことを特徴とする写真焼付用シャッター。
【請求項２】
前記シャッター本体は、一対設けられ、
前記一対のシャッター本体の前記回転軸は、前記焼付透過窓の両側に配置され、
前記一対のシャッター本体は、互いに逆方向に回転し、該各シャッター本体の一部が相互に重なり合い、あるいはこの重なり合いを解除して前記焼付光透過窓を開閉することを特徴とする請求項１に記載の写真焼付用シャッター。
【発明の詳細な説明】
【０００１】
【産業上の利用分野】
本発明はネガフィルムなどの原画フィルムから、印画紙などの感光材料へ画像を焼き付ける場合に焼付光を通過、遮断するための写真焼付用シャッターに関する。
【０００２】
【従来の技術】
一般的に写真焼付装置に用いられ、ネガフィルムと印画紙との間で焼付光を開放、遮断するためのシャッターは軸支されたシャッター本体が引張コイルばねなどの付勢力で焼付光遮断状態に付勢され、焼付時にはソレノイドの励磁力でこのシャッター本体を付勢力に抗して焼付光軸から退避させて焼付光路を開放するようになっている。
【０００３】
このためシャッター本体が確実に焼付光透過窓を開放遮断させるためには大きな面積のシャッター本体を必要とし、これは焼付光透過窓の面積が大きいほど顕著になる。
【０００４】
また、焼付光透過窓を開放遮断するシャッター本体の回転軸にモータの駆動軸が直接連結された写真焼付装置がある。しかし、シャッター本体を小型化にするため、シャッター本体の回転軸を焼付光透過窓近傍に配置すると、モータが影となって焼付光の一部を遮ってしまい、印画紙等に画像欠陥を生じさせる。特に、大きなモータを使用する場合に、悪影響が大きかった。
【０００５】
【発明が解決しようとする課題】
本発明は上記事実を考慮し、焼付光透過窓を開放遮断するシャッター本体を小型にすることができる写真焼付用シャッターを得ることが目的である。
【０００６】
また本発明は、駆動手段として大きなモータを使用しても、モータが影とならない写真焼付用シャッターを得ることが目的である。
【０００７】
【課題を解決するための手段】
本出願の請求項１に係る発明は、シャッター本体の回転軸に設けられたプーリとモータの出力軸に設けられたプーリとに架け渡されたタイミングベルトにより前記モータの駆動力を前記シャッター本体に伝達し、前記シャッター本体は、前記回転軸から反対方向に延びる一対の直線部を備えた略半円形をし、一方向へのみ回転して１８０度毎に焼付透過窓の開放と閉止とを繰り返すことを特徴としている。
【０００８】
この構成によれば、シャッター本体の回転軸に設けられたプーリとモータの出力軸に設けられたプーリとに架け渡されたタイミングベルトにより、モータの駆動力をシャッター本体に伝達し、シャッター本体の回転により焼付光透過窓を開閉する構成としたので、モータを焼付光透過窓から遠ざけることができる。このため、モータが影になってしまうことを回避でき、画像に悪影響を及ぼすことがない。更に、シャッター本体は、回転軸から反対方向に延びる一対の直線部を備えた略半円形をし、一方向へのみ回転して１８０度毎に焼付透過窓の開放と閉止とを繰り返す。したがって、焼付透過窓のどの部分においても均一な露光時間が得られる。よって、パルスモータ等の制御が容易なモータを用いても焼付透過窓の露光時間を均一にできる。
【０００９】
本出願の請求項２に係る発明は、前記シャッター本体は、一対設けられ、前記一対のシャッター本体の前記回転軸は、前記焼付透過窓の両側に配置され、前記一対のシャッター本体は、互いに逆方向に回転し、該各シャッター本体の一部が相互に重なり合い、あるいはこの重なり合いを解除して前記焼付光透過窓を開閉することを特徴としている。
【００１０】
この構成によれば、シャッター本体は一対設けられ、一対のシャッター本体の回転軸は、焼付透過窓の両側に配置され、互いに逆方向に回転し、各シャッター本体の一部が相互に重なり合い、あるいは重なり合いを解除して焼付光透過窓を開閉する構成にすることにより、例えば１枚のシャッター本体で焼付光透過窓を開閉する場合よりも、シャッター本体が小型で事足り、焼付装置全体のスペースを小さくすることができる。
【００１３】
【発明の実施の形態】
（写真焼付装置の全体構成）
図１には本発明が適用された写真焼付装置１０が示されている。この写真焼付装置１０では印画紙Ｐがロール状に巻き取られたマガジン１２を装填するようになっている。このマガジン１２は写真焼付装置１０内へ挿入した後に開閉扉１４を閉止して装填完了状態となる。
【００１４】
このマガジン１２には印画紙Ｐの先端部付近が巻き掛けられる駆動ローラ１６を有しており、この駆動ローラ１６が写真焼付装置１０内に設けられる駆動ベルト１８の駆動力を受けることによって回転し、印画紙Ｐの先端を写真焼付装置１０内へと引き出すようになっている。
【００１５】
引き出された印画紙Ｐはカッタ２２で所望長さに切断された後に画像焼付位置２４へと搬送され、ネガフィルムＮの画像が光源２６からの焼付光により光学手段２８、シャッター３２を介して焼き付けられるようになっている。焼付後の印画紙Ｐは搬送路３４を介して現像装置３６へと送られ、焼付画像が現像されるようになっている。
【００１６】
（画像焼付位置付近の構成）
図２〜図４に示される如く、画像焼付位置にはカッタ２２の下流側に略三角形の移動軌跡で掛け渡される無端ベルト４２が配置されている。この無端ベルト４２はその全域に亘って多数の貫通小孔４４が形成されている。またこの無端ベルト４２は焼付位置で水平状態に配置されるべく支持台４６上へとその一部が載置されている。この支持台４６は図３に示される如く多数の長孔４８が形成されて負圧連通部となっており、小孔４４を介して無端ベルト４２上の印画紙Ｐを無端ベルト４２へ吸着させる役目を有する。
【００１７】
支持台４６の上流側（矢印Ｕ方向）には無端ベルト４２の上流側端部を巻き掛ける巻掛ローラ５２が水平に機台フレーム６２（図３）へ軸支されている。またこの巻掛ローラ５２との間に無端ベルト４２を挟持する状態で昇降ローラ５４が水平に配置されている。この昇降ローラ５４は軸方向両端部が旋回アーム５６へ軸支されている。この旋回アーム５６は軸５８を介して機台フレーム６２へ軸支されている。また旋回アーム５６はリンク６４を介して自己保持型のソレノイド６６へと連結されている。したがってソレノイド６６にパルス電圧が入り作動されると旋回アーム５６は軸５８を中心にして上昇旋回し、昇降ローラ５４が無端ベルト４２から離間するようになっている。またソレノイド６６へ逆作動のパルス電圧が入力されると旋回アーム５６及び昇降ローラ５４はその自重で、又は図示しない弾性体の付勢力で無端ベルト４２上へと接触して無端ベルト４２との間に印画紙Ｐを挟持できるようになっている。
【００１８】
支持台４６の下流側では無端ベルト４２の一部分が支持台４６よりもさらに下流側へ延びており案内ローラ６８へと巻き掛けられている。この案内ローラ６８は昇降ローラ５４と同等位置又は若干高位置とされており、そのすぐ上流側に配置される案内ローラ６９と隣接しており、この案内ローラ６９が無端ベルト４２の外周へと押圧されている。すなわち案内ローラ６９は無端ベルト４２の外周をその約１／４円周に亘って巻き掛けており、その後無端ベルト４２は案内ローラ６８へ案内ローラ６８の外周の約２／３に亘って巻き掛けられてこの部分の無端ベルト４２を略Ｓ字状としている。この案内ローラ６８はモータ７２の駆動力をタイミングベルト７４を介して受けることによって駆動回転され、無端ベルト４２を図２の時計方向に回転駆動させる。
【００１９】
従って案内ローラ６８と案内ローラ６９とは無端ベルト４２を焼付位置よりも下流側でその循環の一時期において逆Ｕ字型の隆起部４２Ａを構成させるようになっている。このため画像焼付が終了した印画紙Ｐはこの隆起部４２Ａと案内ローラ６９との間に挟持されてその搬送方向が水平方向（矢印Ａ方向）から垂直方向（矢印Ｂ方向）へと変更されて垂直方向に送り出されるようになっている。
【００２０】
なお無端ベルト４２は案内ローラ６８と巻掛ローラ５２との間の下方でテンションローラ７６へ巻き掛けられて略三角形の移動軌跡が形成されている。また図１に示される如く支持台４６上を移動する無端ベルト４２にはその上部にイーゼル装置７８が設けられており、周囲に白枠のある縁有画像を印画紙Ｐ上に焼き付ける場合に印画紙Ｐの周囲を覆うようになっている。
【００２１】
（吸引装置の説明）
図４に示される如く支持台４６は内部が空洞状に形成されており、無端ベルト４２の幅方向両端に対応した連通ダクト８２、８３が接続されている。これらの連通ダクト８２、８３は支持台４６の下側に配置される無端ベルト４２の折り返し部分を迂回して無端ベルト４２の下方へと至って連通ダクト８４へ接続されている。この連通ダクト８４はさらに下方へ延長されて吸引ファン８５が設けられたファンボックス８６へと接続されている。
【００２２】
これによって支持台４６内の空気は連通ダクト８２、８３を介して無端ベルト４２のループ内の幅方向（図４の左方向及び右方向）両端から抜け出し、吸引ファン８５で吸引されて矢印Ｃ、Ｄ方向へ吹き出されるので、支持台４６内が負圧となり、この負圧は支持台４６の長孔４８、無端ベルト４２の小孔４４を介して無端ベルト４２上の印画紙Ｐへと伝達され、印画紙Ｐが無端ベルト４２へ吸着される。特に連通ダクト８２、８３は無端ベルト４２の幅方向双方で支持台４６へ連通しているので、無端ベルト４２はその幅方向全域に亘ってほぼ均等な吸着力が付与されて確実に印画紙Ｐが吸着される。
【００２３】
（シャッター部分の説明）
焼付位置にある印画紙Ｐと光学手段２８との間に配置されるシャッター３２は図５〜図７に示される如く一対のシャッター本体１０２、１０４を有している。これらのシャッター本体１０２、１０４は略半円形であり、軸心部からボス１０６がそれぞれ突出している。これらのボス１０６の周囲にはシャッター本体１０２、１０４との間に複数のリブ１０８が掛け渡されて補強用となっている。なおこれらのシャッター本体１０２、１０４は基本的に同一構造であり、実際の使用に際しては片方を他方に対して反転させて用いる。これらのボス１０６の軸心は垂直でかつ焼付光軸Ｓと平行となっている。
【００２４】
ボス１０６に固着されたプーリ１１２にはタイミングベルト１１４が巻き掛けられ、このタイミングベルト１１４は他の一部でそれぞれモータ１１６の出力軸プーリ１１８へと掛け渡されている。これにより、シャッター本体１０２、１０４を大型化することなく、モータ１１６を透過孔１２２からできるだけ遠くに配置できる。このため、モータ１１６が影になってしまうことを回避でき、画像に悪影響を及ぼすことがない。また、図６に示すように、各モータ１１６は、透過孔１２２に焼付光が入射する側にそれぞれ配置されているので、焼付光が透過孔１２２から出射する側に配置された場合と比較して、各モータ１１６を透過孔１２２に近づけても各モータ１１６が影となることを回避できる。このため、焼付装置１０を小型化できる。このモータ１１６によってシャッター本体１０２、１０４は１８０度毎に回転停止を繰り返される。すなわち図示状態では機台フレームに設けられた焼付光の透過孔１２２を閉止している状態であり、これから矢印Ｅ、Ｆ方向に１８０度回転した状態が開放状態とされてこの位置で停止するようになっている。このシャッター本体１０２、１０４の回転、停止はこれらのシャッター本体１０２、１０４の直線部１０２Ａ、１０４Ａと円弧部との交点付近がセンサ１２４、１２６で各々検出されてモータ１１６の駆動が制御されることによりなされる。
【００２５】
このように、扇形の一対のシャッター本体１０２、１０４の軸心を透過窓１２２の両側に配置するので、小面積のシャッター本体１０２、１０４を用いるにも拘らず確実に透過窓２２の開閉が可能となる。この意味ではシャッター本体１０２、１０４の扇形角度は必ずしも１８０°でなく、２枚のシャッター本体の回転位置によって透過孔１２２を閉止状態又は開放状態にできるものであればよい。
【００２６】
シャッター本体１０２又は１０４の単体では図５に示される如く透過窓１２２の全域を閉止しなくても、２枚のシャッター本体１０２、１０４が重なって透過窓１２２の全域を閉止するので、小さなシャッター本体１０２、１０４で透過窓１２２の遮閉が可能になる。
【００２７】
これらのシャッター本体１０２、１０４は矢印Ｅ方向及びＦ方向に、即ち各々が一方向に回転されるようになっており、これによってモータ１１６をパルスモータ等の制御が容易なモータを用いても透過孔１２２の開放時間を均一にすることができる。すなわちシャッター本体１０２、１０４が回転初期と終期すなわち停止直前において加速度を有して速度が変化するにもかかわらず透過孔１２２のどの部分においても均一な露光時間が得られるようになっている。
【００２８】
これをシャッター本体１０２を例にとって詳しく説明する。シャッター本体１０２は図５の図示状態からモータ１１６の駆動力を受けて矢印Ｅ方向に回転し始めると直線部１０２Ａが透過孔１２２の一部を開放し始めた状態、すなわち一般的なモータの駆動力では直線部１０２Ａが回転位置１３０で示される角度（透過孔１２２を開放し始める位置）だけ回転し始めてもその回転速度は一定にならず（加速回転状態）、回転位置１３０Ａ付近に至って初めて一定速度になる。またこの直線部１０２Ａを透過孔１２２の開放位置で、すなわち図５の図示状態から矢印Ｅ方向に１８０度回転した状態で正確に停止させるためには、直線部１０２Ａが停止位置の手前約４５度の回転位置１３０Ｂを過ぎた状態で減速し始めねばならず、この回転位置１３０Ｂから直線部１０２Ａが透過孔１２２を完全に開放する回転位置１３０Ｃを過ぎて図５から１８０°回転した回転位置１３０Ｄまでの間は減速状態が継続する。このためこのシャッター本体１０２の透過孔１２２を開放する動作及び遮断する動作の直線部１０２Ａにおける時間と速度の関係は図８に示される状態となる。
【００２９】
従ってシャッター本体１０２が１８０°毎に透過孔１２２の開放、閉止動作を繰り返すことを考えると、透過孔１２２内で区域１３２Ａ内の各部分はシャッター本体１０２が定速回転の部分であり、回転加速度の影響がなくどの部分であっても同一の開放時間が得られる。図５に示される回転位置１３０と回転位置１３０Ａとの間の区域１３２、及び回転位置１３０Ｂと回転位置１３０Ｃとの間の区域１３２Ｂの中にある各部分は加速度（減速度も含む）の影響を受けるので開放時間の相違が問題になる。しかし直線部１０２Ａは同じく１８０度毎に回転し、しかもその扇型角度が１８０度であるため、図５の図示状態から開放動作される場合の速度曲線Ｇ（図８）と、開放状態から閉止状態へ閉止動作される場合の速度曲線Ｈとで、加速度１３７Ａと１３７Ｂとが互いに等しく、減速度１３８Ａ、１３８Ｂとが互いに等しければ、区域１３２にある点１３４及び区域１３２Ｂにある点１３４Ａにおいても図８に示される如くその開放時間ＴＡ、ＴＢはシャッター本体が定速で回転する区域１３２Ａにある点１３４Ｂの開放時間ＴＣと同一となる。
【００３０】
上記シャッター本体１０２、１０４は一方向に回転させるものであれば、互いの回転方向は図５の矢印Ｅ、Ｆ方向に限らない。また図８の速度曲線Ｇでは加速度１３７Ａ、Ｂとの間に定速部分があるが、定速部分がなく、加速度部の次に直ちに減速度部が続くものであってもよい。
【００３１】
なお、図８の速度曲線Ｇはシャッター本体１０２のボス１０６から反対方向に延びる一対の直線部１０２Ａのうちの一方（図５の下側）が透過孔１２２を開放動作する場合の速度変化を、速度曲線Ｈは他方（図５の上側）が閉止動作する場合を示していることになる。これらの一対の直線部１０２Ａは直線に限らず互いに同一形状であれば、各ポイントで露光時間に差が出ずムラにならない。
【００３２】
（ＮＤフィルタの説明）
さらにシャッター本体１０４にはＮＤフィルタ１４２が取り付けられている。このＮＤフィルタ１４２はシャッター本体１０４が透過孔１２２を閉止した図示状態において光軸Ｓ上に配置されている。したがって図示状態においてはＮＤフィルタ１４２はその下側にシャッター本体１０２が配置されているので印画紙Ｐへは何らの露光作用を生じないが、この状態でシャッター本体１０２のみが矢印Ｅ方向に回転されると、ＮＤフィルタ１４２は焼付光を透過可能となる。ＮＤフィルタ１４２は分光選択吸収を示さない中性濃度（無彩色）のフィルタであり、ニュートラルデンシティフィルタとも呼ばれる。このＮＤフィルタ１４２は入射光の分光組成を変えないで減光する目的で使用する。
【００３３】
すなわちこれらのシャッター本体１０２、１０４は写真焼付装置１０を最初に使用するときに標準露光条件を決定する場合にシャッター本体１０２のみを半転させて印画紙ＰへのＮＤフィルタ１４２による露光を行なうことができる。その後の印画紙Ｐへの通常の画像焼付時にはシャッター本体１０２、１０４を共に同時に矢印Ｅ、Ｆ方向に図示状態から１８０度毎に回転させて透過孔１２２の開放、遮断を行う。
【００３４】
なお、このＮＤフィルタ１４２はシャッター本体１０２、１０４の重合部に設けるものであれば光軸Ｓ上に設けなくてもよい。
【００３５】
（実施例の作用）
印画紙Ｐが収容されたマガジン１２を写真焼付装置１０内へ挿入し、開閉扉１４を閉止すると、マガジン１２が装填されるとともに駆動ローラ１６は駆動ベルト１８へ押圧されて駆動力伝達状態となる。
【００３６】
図示しないモータの駆動力で駆動ローラ１６が回転されると印画紙Ｐはその先端部がマガジン１２から押し出されカッタ２２へと搬送される。ここでカッタ２２は印画紙Ｐの先端部を切断して不揃部を切り捨てる。さらに印画紙Ｐは下流側に送られて巻掛ローラ５２と昇降ローラ５４との間へ挿入される。この状態ではソレノイド６６を励磁して昇降ローラ５４を上昇させておく。焼付画像の大きさに相当する長さだけ印画紙Ｐがカッタ２２へ挿入されると、カッタ２２が再び作動して印画紙Ｐは切断される。切断された後の印画紙Ｐを搬送するために昇降ローラ５４が下降して無端ベルト４２を介して巻掛ローラ５２との間に印画紙Ｐを挟持搬送する。
【００３７】
これと同時に送られた印画紙Ｐは無端ベルト４２上へと先端部が配置されるので、支持台４６内の負圧が小孔４４を介して伝達され、印画紙Ｐが小孔４４へと吸着される。無端ベルト４２はモータ７２の駆動力によって印画紙Ｐを焼付位置へと搬送して停止する。この状態で印画紙Ｐの上流側端部はすでに昇降ローラ５４から外れている。
【００３８】
この状態でシャッター本体１０２、１０４はモータ１１６の駆動力を受けて反転し透過孔１２２を開放するので、ネガフィルムＮの原画像が光学手段２８を介して印画紙Ｐへと焼き付けられる。このシャッター本体１０２、１０４はその回転初期及び終期に加減速を生ずるが、透過孔１２２のいかなる部分においても図８に示される如く同一の開放時間が得られるので、精密な焼付画像が付与される。
【００３９】
焼付が終了すると再び無端ベルト４２が回転し、印画紙Ｐを下流側へと搬送する。このように印画紙Ｐの無端ベルト４２への吸着は、印画紙Ｐの全域に亘って確実になされる。すなわち、支持台４６へ無端ベルト４２の幅方向両側から連通ダクト８２、８３を介して負圧が供給されるのでベルト４２の幅方向における負圧の変化が小さく、ほぼ均等な負圧力を印画紙Ｐの全域に付与できる。
【００４０】
この印画紙Ｐはさらに水平搬送されて案内ローラ６９へ至ると支持台４６から外れるので、負圧吸着が解除される。これと同時に印画紙Ｐは隆起部４２Ａに沿って垂直上方（矢印Ｂ方向）へと送られ、搬送方向が変更される。その後は搬送路３４を介して現像装置３６へと送られる。
【００４１】
この焼付位置の下流側において隆起部４２Ａが設けられない場合には、図２に示される無端ベルト４２の右方向であって無端ベルト４２の搬送路と外れた位置に上方向へカーブしたガイド手段を設ける必要があるため、印画紙Ｐの水平方向搬送路が図２の状態よりもさらに右側へ長く形成されて大きな設置スペースを必要とすることになる。
【００４２】
なお写真焼付装置１０の作業に先立ち、ＮＤフィルタ１４２を用いて標準露光条件を決定する。この場合にはシャッター本体１０２のみを図示状態から矢印Ｂ方向に反転させると、ＮＤフィルタ１４２が印画紙Ｐへの焼付光の透過状態となる。
【００４３】
この標準露光条件を設定するには、露光光路中にＮＤフィルタ１４２を挿入した状態でＮＤフィルタ１４２の測光値と標準露光条件とに基づいて求めた露光量でＮＤフィルタ１４２を通して印画紙Ｐを露光する。そして、露光した印画紙Ｐを現像して得られた画像濃度が目標濃度になるように標準露光条件を決定する。標準露光条件を設定するときの目標濃度は、条件設定時に基準フィルムから得られたプリントの画面濃度を測光して得られた測光値を用いることができるが、予め求めておいた濃度を目標濃度としてもよい。この目標濃度をフィルムタイプ毎に定めておくことにより、複数タイプのカラー原画の露光に適用することができる。基準フィルムを用いて目標濃度を定める場合には、基準フィルムとＮＤフィルタ１４２との特性差を補正するために、３原色のいずれか１つの原色に対して他の２つの原色の影響がないかまたは影響が僅かになるように定めた露光条件、即ちフルコレクション又はハイコレクション条件を用いるのがよい。また、基準フィルムを用いずに適正に定められた標準露光条件を用いてＮＤフィルタ１４２を通して印画紙Ｐを露光し、露光した印画紙Ｐを現像して得られた画像濃度を目標濃度としてもよい。
【００４４】
また、ＮＤフィルタ１４２の測光値に基づいて設定してある露光条件の装置の変動分の補正を行い、その後上記と同様にＮＤフィルタ１４２を通して露光した印画紙Ｐを現像して得られた画像濃度と目標濃度とによる補正を行って標準露光条件を決定することにより、写真焼付装置１０と印画紙Ｐの特性差等とを分離して補正することができる。
【００４５】
なお、上記説明では、シャッター本体の駆動用として、パルスモータ等のモータを用いることにより、従来のスプリングとソレノイドにより駆動されるシャッターで必要であったスプリング付勢力のストッパでの当接停止機構が不要となり、この点でも耐久性が向上する。
【００４６】
【発明の効果】
本発明は上記の構成としたので、小型で露光ムラのない写真焼付用シャッターを得ることができる。また、駆動手段として大きなモータを使用しても、モータが影とならない写真焼付用シャッターを得ることができる。
【図面の簡単な説明】
【図１】本発明が適用された写真焼付装置を示す縦断面図である。
【図２】図１の画像焼付位置付近を示す拡大縦断面図である。
【図３】図２の一部を示す分解斜視図である。
【図４】図２のＩＶ−ＩＶ線断面図である。
【図５】シャッター部分を示す平面図である。
【図６】図５のＶＩ−ＶＩ線断面図である。
【図７】シャッター部分を示す分解斜視図である片側のセンサはシャッター本体から離して図示してある。
【図８】シャッターの開放時間を示す時間とシャッター回転速度との関係を示す線図である。
【符号の説明】
Ｐ        印画紙
１０      写真焼付装置
３２      シャッター
１０２    シャッター本体
１０４    シャッター本体
１０６    ボス（回転軸）
１１６    モータ（駆動手段）
１２２    透過孔
【図１】
0003609317.tif 000002
【図２】
0003609317.tif 000003
【図３】
0003609317.tif 000004
【図４】
0003609317.tif 000005
【図５】
0003609317.tif 000006
【図６】
0003609317.tif 000007
【図７】
0003609317.tif 000008
【図８】
0003609317.tif 000009